(57)【要約】【課題】医用画像から対象とする領域を精度良く抽出することができる情報処理装置、情報処理方法、及びプログラムを得る。【解決手段】情報処理装置１４は、被検体を撮影して得られた画像から被検体の体格を表す情報を抽出する抽出部４６と、抽出部４６により抽出された被検体の体格を表す情報を用いて、被検体が分類されるグループを特定する特定部４８と、グループ毎の被検体を撮影して得られた医用画像を表す画像データ及び医用画像から抽出された領域を表す情報を学習用データとして用いた機械学習によって、学習済みモデルをグループ毎に生成する生成部５２と、を備える。【選択図】図４
2020068881.tif 000002
【特許請求の範囲】
【請求項１】
被検体を撮影して得られた画像から被検体の体格を表す情報を抽出する抽出部と、
前記抽出部により抽出された前記被検体の体格を表す情報を用いて、前記被検体が分類されるグループを特定する特定部と、
前記グループ毎の前記被検体を撮影して得られた医用画像を表す画像データ及び前記医用画像から抽出された領域を表す情報を学習用データとして用いた機械学習によって、前記医用画像を表す画像データを入力とし、前記領域を表す情報を出力とした学習済みモデルを前記グループ毎に生成する生成部と、
を備えた情報処理装置。
【請求項２】
前記医用画像を表す画像データ及び前記領域を表す情報を学習用データとして用いた機械学習によって予め得られた１つの学習済みモデルに対して前記医用画像を表す画像データを入力する入力部と、
前記入力部による入力により前記１つの学習済みモデルから出力された前記領域を表す情報を取得する取得部と、
を更に備え、
前記生成部は、前記入力部により入力された医用画像データ及び前記取得部により取得された前記領域を表す情報を学習用データとして、前記特定部により特定されたグループ毎に前記１つの学習済みモデルを再学習させることによって学習済みモデルを前記グループ毎に生成する
請求項１に記載の情報処理装置。
【請求項３】
前記被検体の体格を表す情報は、前記被検体の骨格である
請求項１又は請求項２に記載の情報処理装置。
【請求項４】
前記被検体の体格を表す情報は、前記被検体の体表である
請求項１又は請求項２に記載の情報処理装置。
【請求項５】
前記被検体の体格を表す情報の抽出に用いられる前記画像は、前記医用画像である
請求項１から請求項４の何れか１項に記載の情報処理装置。
【請求項６】
前記グループは、前記被検体の年齢、性別、人種、又は種族によって前記被検体が分類されるグループである
請求項１から請求項５の何れか１項に記載の情報処理装置。
【請求項７】
被検体を撮影して得られた画像から被検体の体格を表す情報を抽出し、
抽出した前記被検体の体格を表す情報を用いて、前記被検体が分類されるグループを特定し、
前記グループ毎の前記被検体を撮影して得られた医用画像を表す画像データ及び前記医用画像から抽出された領域を表す情報を学習用データとして用いた機械学習によって、前記医用画像を表す画像データを入力とし、前記領域を表す情報を出力とした学習済みモデルを前記グループ毎に生成する
処理をコンピュータが実行する情報処理方法。
【請求項８】
被検体を撮影して得られた画像から被検体の体格を表す情報を抽出し、
抽出した前記被検体の体格を表す情報を用いて、前記被検体が分類されるグループを特定し、
前記グループ毎の前記被検体を撮影して得られた医用画像を表す画像データ及び前記医用画像から抽出された領域を表す情報を学習用データとして用いた機械学習によって、前記医用画像を表す画像データを入力とし、前記領域を表す情報を出力とした学習済みモデルを前記グループ毎に生成する
処理をコンピュータに実行させるためのプログラム。
【発明の詳細な説明】
【技術分野】
【０００１】
本開示は、情報処理装置、情報処理方法、及びプログラムに関する。
【背景技術】
【０００２】
従来、入力画像に含まれる顔を、検出すべき顔の傾きを変えながら検出する顔検出方法が開示されている（特許文献１参照）。この顔検出方法では、検出すべき顔の傾きに応じて、第１の検出処理及び第２の検出処理の何れかの検出処理によって顔検出を行う。
【０００３】
また、入力画像の種類に応じた顔検出手法を用いて、入力画像から顔を検出する画像処理装置が開示されている（特許文献２参照）。
【先行技術文献】
【特許文献】
【０００４】
【特許文献１】特開２００７−１２８１２７号公報
【特許文献２】特開２００９−７００９９号公報
【発明の概要】
【発明が解決しようとする課題】
【０００５】
ところで、医用画像から対象とする領域を精度良く抽出することができると、医師が診断を行ううえで好ましい。しかしながら、特許文献１及び特許文献２に記載の技術では、医用画像から対象とする領域を精度良く抽出することはできない。
【０００６】
本開示は、以上の事情を鑑みて成されたものであり、医用画像から対象とする領域を精度良く抽出することができる情報処理装置、情報処理方法、及びプログラムを提供することを目的とする。
【課題を解決するための手段】
【０００７】
上記目的を達成するために、本開示の情報処理装置は、被検体を撮影して得られた画像から被検体の体格を表す情報を抽出する抽出部と、抽出部により抽出された被検体の体格を表す情報を用いて、被検体が分類されるグループを特定する特定部と、グループ毎の被検体を撮影して得られた医用画像を表す画像データ及び医用画像から抽出された領域を表す情報を学習用データとして用いた機械学習によって、医用画像を表す画像データを入力とし、領域を表す情報を出力とした学習済みモデルをグループ毎に生成する生成部と、を備える。
【０００８】
なお、本開示の情報処理装置は、医用画像を表す画像データ及び領域を表す情報を学習用データとして用いた機械学習によって予め得られた１つの学習済みモデルに対して医用画像を表す画像データを入力する入力部と、入力部による入力により１つの学習済みモデルから出力された領域を表す情報を取得する取得部と、を更に備え、生成部が、入力部により入力された医用画像データ及び取得部により取得された領域を表す情報を学習用データとして、特定部により特定されたグループ毎に１つの学習済みモデルを再学習させることによって学習済みモデルをグループ毎に生成してもよい。
【０００９】
また、本開示の情報処理装置は、被検体の体格を表す情報が、被検体の骨格であってもよい。
【００１０】
また、本開示の情報処理装置は、被検体の体格を表す情報が、被検体の体表であってもよい。
【００１１】
また、本開示の情報処理装置は、被検体の体格を表す情報の抽出に用いられる画像が、医用画像であってもよい。
【００１２】
また、本開示の情報処理装置は、グループが、被検体の年齢、性別、人種、又は種族によって被検体が分類されるグループであってもよい。
【００１３】
一方、上記目的を達成するために、本開示の情報処理方法は、被検体を撮影して得られた画像から被検体の体格を表す情報を抽出し、抽出した被検体の体格を表す情報を用いて、被検体が分類されるグループを特定し、グループ毎の被検体を撮影して得られた医用画像を表す画像データ及び医用画像から抽出された領域を表す情報を学習用データとして用いた機械学習によって、医用画像を表す画像データを入力とし、領域を表す情報を出力とした学習済みモデルをグループ毎に生成する処理をコンピュータが実行するものである。
【００１４】
また、上記目的を達成するために、本開示のプログラムは、被検体を撮影して得られた画像から被検体の体格を表す情報を抽出し、抽出した被検体の体格を表す情報を用いて、被検体が分類されるグループを特定し、グループ毎の被検体を撮影して得られた医用画像を表す画像データ及び医用画像から抽出された領域を表す情報を学習用データとして用いた機械学習によって、医用画像を表す画像データを入力とし、領域を表す情報を出力とした学習済みモデルをグループ毎に生成する処理をコンピュータに実行させるためのものである。
【００１５】
また、本開示の情報処理装置は、コンピュータに実行させるための命令を記憶するメモリと、記憶された命令を実行するよう構成されたプロセッサと、を備え、プロセッサは、被検体を撮影して得られた画像から被検体の体格を表す情報を抽出し、抽出した被検体の体格を表す情報を用いて、被検体が分類されるグループを特定し、グループ毎の被検体を撮影して得られた医用画像を表す画像データ及び医用画像から抽出された領域を表す情報を学習用データとして用いた機械学習によって、医用画像を表す画像データを入力とし、領域を表す情報を出力とした学習済みモデルをグループ毎に生成する。
【発明の効果】
【００１６】
本開示によれば、医用画像から対象とする領域を精度良く抽出することができる。
【図面の簡単な説明】
【００１７】
【図１】実施形態に係る診断支援システムの構成の一例を示すブロック図である。
【図２】実施形態に係る情報処理装置のハードウェア構成の一例を示すブロック図である。
【図３】実施形態に係る学習済みモデルの一例を示す図である。
【図４】実施形態に係る情報処理装置の機能的な構成の一例を示すブロック図である。
【図５】実施形態に係る診断支援処理の一例を示すフローチャートである。
【図６】実施形態に係る再学習処理の一例を示すフローチャートである。
【発明を実施するための形態】
【００１８】
以下、図面を参照して、本開示の技術を実施するための形態例を詳細に説明する。
【００１９】
まず、図１を参照して、本実施形態に係る診断支援システム１０の構成を説明する。図１に示すように、診断支援システム１０は、画像管理装置１２及び情報処理装置１４を含む。画像管理装置１２及び情報処理装置１４は、各々ネットワークＮに接続され、ネットワークＮを介した通信が可能とされる。画像管理装置１２は、ＣＴ（Computed Tomography）及びＭＲＩ（Magnetic Resonance Imaging）等の医用画像を撮影する撮影装置により被検体を撮影して得られた医用画像を表す画像データ（以下、「医用画像データ」という）を記憶する。画像管理装置１２の例としては、ＰＡＣＳ（Picture Archiving and Communication System）等が挙げられる。情報処理装置１４は、画像管理装置１２に記憶された医用画像データを用いて診断の支援を行う。情報処理装置１４の例としては、パーソナルコンピュータ及びサーバコンピュータ等の情報処理装置が挙げられる。
【００２０】
次に、図２を参照して、本実施形態に係る情報処理装置１４のハードウェア構成を説明する。図２に示すように、情報処理装置１４は、ＣＰＵ（Central Processing Unit）２０、一時記憶領域としてのメモリ２１、及び不揮発性の記憶部２２を含む。また、情報処理装置１４は、液晶ディスプレイ等の表示部２３、キーボードとマウス等の入力部２４、及びネットワークＮに接続されるネットワークＩ／Ｆ（InterFace）２５を含む。ＣＰＵ２０、メモリ２１、記憶部２２、表示部２３、入力部２４、及びネットワークＩ／Ｆ２５は、バス２６に接続される。
【００２１】
記憶部２２は、ＨＤＤ（Hard Disk Drive）、ＳＳＤ（Solid State Drive）、及びフラッシュメモリ等によって実現される。記憶媒体としての記憶部２２には、情報処理プログラム３０が記憶される。ＣＰＵ２０は、記憶部２２から情報処理プログラム３０を読み出してからメモリ２１に展開し、展開した情報処理プログラム３０を実行する。
【００２２】
また、記憶部２２には、１つの学習済みモデル３２、及び複数（本実施形態では、２つ）の学習済みモデル３４が記憶される。図３を参照して、学習済みモデル３２について説明する。図３に示すように、本実施形態では、学習済みモデル３２の一例として入力層、複数の中間層、及び出力層を含むニューラルネットワークを適用した形態例を説明する。
【００２３】
学習済みモデル３２には、入力データの一例として、ＣＴにより被検体を撮影して得られた医用画像データが入力される。また、学習済みモデル３２からは、出力データの一例として、入力の医用画像データが示す医用画像から抽出された領域を表す情報が出力される。本実施形態では、学習済みモデル３２は、入力の医用画像データが示す医用画像における肺領域を抽出し、抽出した肺領域を予め定められた色（例えば、赤色）で塗りつぶした画像を表す画像データを出力する。図３では、抽出された肺領域を斜線の領域で示している。
【００２４】
学習済みモデル３２は、複数組の医用画像データ及び医用画像データにおける肺領域を表す情報を学習用データ（教師データとも称される）として用いた機械学習によって予め得られたモデルである。なお、この際の機械学習に用いられる手法の例としては、誤差逆伝播法等が挙げられる。
【００２５】
また、本実施形態に係る学習済みモデル３２は、後述する被検体が分類されるグループの区別はなく、汎用のモデルとして予め得られている。
【００２６】
なお、本実施形態では、学習済みモデル３２が左右両方の肺領域を抽出する場合について説明するが、これに限定されない。学習済みモデル３２が左右の何れか一方の肺領域を抽出してもよいし、肺以外の領域を抽出してもよいし、複数種類の領域を抽出してもよい。学習済みモデル３２が抽出する領域の例としては、臓器領域、骨の領域、血管の領域、及び皮下脂肪の領域等が挙げられる。
【００２７】
学習済みモデル３２と同様に、学習済みモデル３４にも入力層、複数の中間層、及び出力層を含むニューラルネットワークが適用される。また、学習済みモデル３２と同様に、学習済みモデル３４にもＣＴにより被検体を撮影して得られた医用画像データが入力され、学習済みモデル３４からも入力の医用画像データが示す医用画像から抽出された領域を表す情報が出力される。学習済みモデル３４は、後述する生成部５２により被検体が分類されるグループ毎に生成される。
【００２８】
次に、図４を参照して、本実施形態に係る情報処理装置１４の機能的な構成について説明する。図４に示すように、情報処理装置１４は、入力部４０、取得部４２、出力部４４、抽出部４６、特定部４８、記憶制御部５０、及び生成部５２を含む。ＣＰＵ２０が情報処理プログラム３０を実行することで、入力部４０、取得部４２、出力部４４、抽出部４６、特定部４８、記憶制御部５０、及び生成部５２として機能する。
【００２９】
入力部４０は、画像管理装置１２から医用画像データを取得し、取得した医用画像データを学習済みモデル３２に入力する。取得部４２は、入力部４０による入力に対応して学習済みモデル３２から出力された医用画像から抽出された領域を表す情報を取得する。
【００３０】
出力部４４は、取得部４２により取得された医用画像から抽出された領域を表す情報を表示部２３に出力する。この出力により、表示部２３には、例えば、肺領域が予め定められた色で塗りつぶされた画像が表示される。ユーザは、表示部２３に表示された画像を用いて、被検体の診断を行う。なお、出力部４４は、取得部４２により取得された医用画像から抽出された領域を表す情報を記憶部２２に出力（記憶）してもよいし、画像管理装置１２に出力（送信）してもよい。
【００３１】
抽出部４６は、入力部４０により画像管理装置１２から取得された医用画像データが示す医用画像から、被検体の体格を表す情報を抽出する。本実施形態では、抽出部４６は、医用画像に対して画像解析処理を行うことによって、被検体の体格を表す情報として被検体の骨格を抽出する。具体的には、例えば、骨の領域は他の領域に比べてＣＴ画像の信号値が高いため、抽出部４６は、医用画像から信号値が閾値以上の領域を抽出することによって、被検体の骨格を抽出する。この際、抽出部４６は、抽出した骨格における椎骨及び骨盤の特徴を識別し、かつ頭部、胸部、腹部、及び下肢等の部位を識別する。なお、この場合の閾値は、例えば、医用画像における骨の領域と他の領域とを区別可能な値の下限値として予め定められている。
【００３２】
特定部４８は、抽出部４６により抽出された被検体の体格を表す情報を用いて、被検体が分類されるグループを特定する。本実施形態では、特定部４８は、抽出部４６により抽出された被検体の骨格を用いて、その被検体が分類されるグループが小児であるか、又は成人であるかを特定する。具体的には、例えば、特定部４８は、被検体の骨格について、全身における頭部の割合から、その被検体が分類されるグループが小児であるか、又は成人であるかを特定する。なお、全身における頭部の割合は、幼児から小学生までは１５％以上２５％以下程度であり、高校生以上では１５％未満となる場合が多い。そこで、例えば、１５％を閾値とすることで、被検体が分類されるグループを特定することができる。
【００３３】
なお、ここでいう小児とは、予め定められた年齢未満の子供を意味し、成人とは、予め定められた年齢以上の人を意味する。また、小児と成人との境界の年齢は、特に限定されず、例えば、１５歳としてもよいし、１８歳としてもよい。また、被検体を分類するグループの数は２つに限定されず、３つ以上としてもよい。
【００３４】
記憶制御部５０は、入力部４０により画像管理装置１２から取得された医用画像データ、及びその医用画像データについて取得部４２により取得された医用画像から抽出された領域を表す情報を、特定部４８により特定されたグループに対応付けて記憶部２２に記憶する制御を行う。
【００３５】
生成部５２は、記憶部２２に記憶されたグループ毎の複数組の医用画像データ及び医用画像から抽出された領域を表す情報を学習用データとして用いた機械学習によって、学習済みモデル３４をグループ毎に生成する。本実施形態では、生成部５２は、記憶部２２に記憶されたグループ毎の複数組の医用画像データ及び医用画像から抽出された領域を表す情報を学習用データとして、特定部４８により特定されたグループ毎に学習済みモデル３２を再学習させる。この再学習によって生成部５２は、学習済みモデル３４をグループ毎に生成する。
【００３６】
すなわち、本実施形態では、生成部５２により、１つの汎用の学習済みモデル３２から、小児のグループに対応する学習済みモデル３４と、成人のグループに対応する学習済みモデル３４とが生成される。
【００３７】
次に、図５及び図６を参照して、本実施形態に係る情報処理装置１４の作用を説明する。ＣＰＵ２０が情報処理プログラム３０を実行することによって、図５に示す診断支援処理及び図６に示す再学習処理が実行される。図５に示す診断支援処理は、例えば、ユーザにより入力部２４を介して、診断支援処理の実行指示が入力された場合に実行される。
【００３８】
図５のステップＳ１０で、入力部４０は、画像管理装置１２から医用画像データを取得する。ステップＳ１２で、入力部４０は、ステップＳ１０で取得した医用画像データを学習済みモデル３２に入力する。ステップＳ１４で、取得部４２は、ステップＳ１２の処理による入力に対応して学習済みモデル３２から出力された医用画像から抽出された領域を表す情報を取得する。
【００３９】
ステップＳ１６で、出力部４４は、前述したように、ステップＳ１４の処理により取得された医用画像から抽出された領域を表す情報を表示部２３に出力する。ステップＳ１８で、抽出部４６は、前述したように、ステップＳ１０の処理により取得された医用画像データが示す医用画像から、被検体の体格を表す情報を抽出する。
【００４０】
ステップＳ２０で、特定部４８は、前述したように、ステップＳ１８の処理により抽出された被検体の体格を表す情報を用いて、被検体が分類されるグループを特定する。ステップＳ２２で、ステップＳ１０の処理により取得された医用画像データ及びステップＳ１４の処理により取得された医用画像から抽出された領域を表す情報を、ステップＳ２０の処理により特定されたグループに対応付けて、学習用データとして記憶部２２に記憶する制御を行う。ステップＳ２２の処理が終了すると、診断支援処理が終了する。
【００４１】
図５に示す診断支援処理が各被検体を撮影して得られた医用画像データについて実行されることによって、グループ毎に学習用データが記憶部２２に蓄積される。各グループについて、図５に示す記憶制御処理により、所定の件数（例えば、１００件）以上の学習用データが記憶部２２に記憶されると、図６に示す再学習処理が実行される。なお、図６に示す再学習処理は、図５のステップＳ２２の処理により学習用データが記憶部２２に記憶されるたびに実行されてもよいし、ユーザにより実行指示が入力された場合に実行されてもよい。
【００４２】
図６のステップＳ３０で、生成部５２は、所定の件数以上の学習用データが記憶されたグループに対応する学習用データ（すなわち、医用画像データ及び医用画像から抽出された領域を表す情報）を記憶部２２から取得する。ステップＳ３２で、生成部５２は、前述したように、ステップＳ３０で取得した学習用データを用いて、学習済みモデル３２を再学習させることによって、所定の件数以上の学習用データが記憶されたグループに対応する学習済みモデル３４を生成する。ステップＳ３２の処理が終了すると、再学習処理が終了する。各グループについて図６に示す再学習処理が実行されることによって、各グループに対応する学習済みモデル３４が生成される。
【００４３】
各グループについて学習済みモデル３４が生成された後は、例えば、医用画像データを、その医用画像データに対応する被検体が分類されるグループに対応する学習済みモデル３４に入力する。これにより、その医用画像データが示す医用画像から抽出された領域を表す情報を取得することができる。
【００４４】
以上説明したように、本実施形態によれば、被検体の体格を表す情報を用いて被検体が分類されるグループを特定し、特定したグループ毎の医用画像データ及び医用画像から抽出された領域を表す情報を学習用データとして用いた機械学習によって、学習済みモデル３４をグループ毎に生成する。
【００４５】
被検体を撮影して得られた医用画像は、小児であるか、又は成人であるかによって、撮影時の放射線量、臓器の大きさ、及び脂肪の量等が異なる。具体的には、小児の方が成人よりも撮影時の放射線量が少ない、臓器が小さい、及び脂肪が小さい等の特徴がある。従って、本実施形態のように、小児に対応する学習済みモデル３４と成人に対応する学習済みモデル３４とを個別に生成することによって、医用画像から対象とする領域を精度良く抽出することができる。
【００４６】
また、本実施形態によれば、被検体を撮影して得られた医用画像から被検体の体格を表す情報を抽出し、抽出した情報を用いて被検体が分類されるグループを特定している。従って、被検体の体格を抽出するための専用の画像が不要となり、またユーザがグループを設定することなくグループを特定することができる結果、被検体が分類されるグループを効率的に特定することができる。
【００４７】
なお、上記実施形態では、学習済みモデル３２を再学習させることによって学習済みモデル３４を生成する場合について説明したが、これに限定されない。グループ毎の医用画像データ及び医用画像から抽出された領域を表す情報を学習用データとして用いた機械学習によって、学習済みモデル３４をグループ毎にゼロから生成する形態としてもよい。
【００４８】
また、上記実施形態では、被検体の体格を表す情報として、被検体の骨格を適用した場合について説明したが、これに限定されない。例えば、被検体の体格を表す情報として、被検体の体表を適用する形態としてもよい。この場合、特定部４８が、抽出された被検体の体表から被検体の腹囲長及び肩幅等を導出し、導出した被検体の腹囲長及び肩幅等の体格から、被検体が分類されるグループを特定する形態が例示される。この場合、例えば、性別の特定のための閾値としてメタボリックシンドロームの判定基準を適用することができる。
【００４９】
また、上記実施形態では、被検体が分類されるグループとして、被検体の年齢によって被検体が分類されるグループ（上記実施形態では、小児及び成人）を適用した場合について説明したが、これに限定されない。例えば、被検体が分類されるグループとして、被検体の性別によって分類されるグループを適用する形態としてもよいし、被検体の人種によって分類されるグループを適用する形態としてもよい。また、例えば、被検体が分類されるグループとして、人、犬、及び猫等の被検体の種族によって分類されるグループを適用する形態としてもよい。また、以上の例の複数の組み合わせによって被検体を分類してもよい。この場合、被検体を「小児・男性」、「小児・女性」、「成人・男性」、及び「成人・女性」のように、被検体の年齢及び性別の組み合わせによって分類されるグループに分類する形態が例示される。
【００５０】
例えば、骨盤の中央の孔の形状は、男性では三角形に近く、女性では円形に近い。従って、骨盤の中央の孔の形状から被検体の性別を特定することができる。また、例えば、骨の総数、尾の骨の有無、及び歯の数等から、被検体が人であるか、又は人以外の動物であるかを特定することができる。
【００５１】
また、上記実施形態では、医用画像から被検体の体格を表す情報を抽出する場合について説明したが、これに限定されない。例えば、医用以外の撮影装置により撮影された画像から被検体の体格を表す情報を抽出する形態としてもよい。この場合、デジタルカメラにより被検体を撮影して得られた画像に対して画像解析処理を行うことによって、画像から被検体の体表を抽出する形態が例示される。
【００５２】
また、上記実施形態において、学習済みモデル３４を生成した後、医用画像から被検体が分類されるグループを特定できなかった場合は、学習済みモデル３２を用いてもよい。
【００５３】
また、上記実施形態において、例えば、入力部４０、取得部４２、出力部４４、抽出部４６、特定部４８、記憶制御部５０、及び生成部５２といった各種の処理を実行する処理部（processing unit）のハードウェア的な構造としては、次に示す各種のプロセッサ（processor）を用いることができる。上記各種のプロセッサには、前述したように、ソフトウェア（プログラム）を実行して各種の処理部として機能する汎用的なプロセッサであるＣＰＵに加えて、ＦＰＧＡ（Field-Programmable Gate Array）等の製造後に回路構成を変更可能なプロセッサであるプログラマブルロジックデバイス（Programmable Logic Device：PLD）、ＡＳＩＣ（Application Specific Integrated Circuit）等の特定の処理を実行させるために専用に設計された回路構成を有するプロセッサである専用電気回路等が含まれる。
【００５４】
１つの処理部は、これらの各種のプロセッサのうちの１つで構成されてもよいし、同種又は異種の２つ以上のプロセッサの組み合わせ（例えば、複数のＦＰＧＡの組み合わせや、ＣＰＵとＦＰＧＡとの組み合わせ）で構成されてもよい。また、複数の処理部を１つのプロセッサで構成してもよい。
複数の処理部を１つのプロセッサで構成する例としては、第１に、クライアント及びサーバ等のコンピュータに代表されるように、１つ以上のＣＰＵとソフトウェアの組み合わせで１つのプロセッサを構成し、このプロセッサが複数の処理部として機能する形態がある。第２に、システムオンチップ（System On Chip：SoC）等に代表されるように、複数の処理部を含むシステム全体の機能を１つのＩＣ（Integrated Circuit）チップで実現するプロセッサを使用する形態がある。このように、各種の処理部は、ハードウェア的な構造として、上記各種のプロセッサの１つ以上を用いて構成される。
【００５５】
更に、これらの各種のプロセッサのハードウェア的な構造としては、より具体的には、半導体素子などの回路素子を組み合わせた電気回路（circuitry）を用いることができる。
【００５６】
また、上記実施形態では、情報処理プログラム３０が記憶部２２に予め記憶（インストール）されている態様を説明したが、これに限定されない。情報処理プログラム３０は、ＣＤ−ＲＯＭ（Compact Disc Read Only Memory）、ＤＶＤ−ＲＯＭ（Digital Versatile Disc Read Only Memory）、及びＵＳＢ（Universal Serial Bus）メモリ等の記録媒体に記録された形態で提供されてもよい。また、情報処理プログラム３０は、ネットワークを介して外部装置からダウンロードされる形態としてもよい。
【符号の説明】
【００５７】
１０  診断支援システム
１２  画像管理装置
１４  情報処理装置
２０  ＣＰＵ
２１  メモリ
２２  記憶部
２３  表示部
２４  入力部
２５  ネットワークＩ／Ｆ
２６  バス
３０  情報処理プログラム
３２、３４  学習済みモデル
４０  入力部
４２  取得部
４４  出力部
４６  抽出部
４８  特定部
５０  記憶制御部
５２  生成部
Ｎ  ネットワーク
【図１】
2020068881.tif 000003
【図２】
2020068881.tif 000004
【図３】
2020068881.tif 000005
【図４】
2020068881.tif 000006
【図５】
2020068881.tif 000007
【図６】
2020068881.tif 000008